(57)【要約】【課題】整向された空気流及び／又は拡散された空気流において可変の流れ源を提供する空気吹き出し装置を得ること。【解決手段】車両内室用の空気吹き出し装置であって、ガイドフィン及びそれぞれ１つの軸周りに旋回可能な従動フィンであって、該従動フィンが、その開口運動においてガイドフィンに従動するとともに、拡散した空気流を生成させるために、ガイドフィンに対して異なる角度をなす、ガイドフィン及び従動フィンと、それぞれの間に位置する吹き出し隙間を有する任意の数のフィン１１によって規定された開口範囲であって、吹き出し隙間を通して空気が車両内室内へ至る、開口範囲と、フィン１１をその向きについて変更可能とする操作要素１２とを有する前記空気吹き出し装置において、任意のフィン１１をガイドフィンとして選択可能であり、該ガイドフィンに従動フィンがその開口運動において従動する。【選択図】図２
2019043545.tif 000002
【特許請求の範囲】
【請求項１】
車両内室用の空気吹き出し装置であって、
−それぞれ１つの軸周りに旋回可能なガイドフィン（１５）及び従動フィン（１６）であって、該従動フィン（１６）が、その開口運動において前記ガイドフィン（１５）に従動するとともに、拡散した空気流を生成させるために、前記ガイドフィン（１５）に対して異なる角度をなす、前記ガイドフィン（１５）及び前記従動フィン（１６）と、
−任意の数のフィン（１１）及びそれらの間に位置する吹き出し隙間（１７）によって規定された開口範囲（１４）であって、前記吹き出し隙間（１７）を通して空気が前記車両内室内へ至る、前記開口範囲（１４）と、
−前記フィン（１１）をその向きについて変更可能とする少なくとも１つの操作要素（１２）と
を有する前記空気吹き出し装置において、
任意のフィン（１１）をガイドフィン（１５）として選択可能であり、該ガイドフィンに前記従動フィン（１６）がその開口運動において従動することを特徴とする空気吹き出し装置。
【請求項２】
両側で前記ガイドフィン（１５）に対して隣り合って配置された前記従動フィン（１６）の向きが逆であり、隣り合う従動フィン（１５）が互いに接触するまで、隣り合う箇所から離れるにつれて前記ガイドフィン（１５）と各従動フィン（１６）の間でより大きな角度をなしていることを特徴とする請求項１に記載の空気吹き出し装置。
【請求項３】
互いに接触する従動フィン（１６）が、吹き出し隙間のない閉鎖範囲を規定していることを特徴とする請求項２に記載の空気吹き出し装置。
【請求項４】
前記開口範囲（１４）が、前記操作要素（１２）によって空気流の幅にわたって変位可能であり、前記開口範囲（１４）が、同数のままのフィンにおいて、適当なフィン交替を受けることを特徴とする請求項１〜３のいずれか１項に記載の空気吹き出し装置。
【請求項５】
複数のフィン（１１）をガイドフィン（１５）として選択可能であることを特徴とする請求項１に記載の空気吹き出し装置。
【請求項６】
選択されたガイドフィン（１５）が隣り合って配置されているとともに、隣り合う２つのガイドフィン（１５）が吹き出し隙間（１７）によってのみ離間していることを特徴とする請求項５に記載の空気吹き出し装置。
【請求項７】
隣り合って配置されたガイドフィン（１５）がガイドフィンの束（１８）を形成しており、該ガイドフィンの束（１８）のフィンが、互いに対して平行に整向されていることを特徴とする請求項６に記載の空気吹き出し装置。
【請求項８】
前記ガイドフィンの束（１８）が、前記開口範囲（１４）の内部で吹き出し範囲を規定しており、空気が、該吹き出し範囲から向きを定めて前記内室内へ流れることを特徴とする請求項７に記載の空気吹き出し装置。
【請求項９】
前記開口範囲（１４）が、前記操作要素（１２）によって空気流の幅にわたって変位可能であり、前記ガイドフィンの束（１８）が、同数のままのフィンにおいて、適当なフィン交替を受けることを特徴とする請求項７又は８に記載の空気吹き出し装置。
【請求項１０】
選択された各ガイドフィン（１５）が、隣り合う従動フィン（１６）と共に開口範囲（１４）を提供し、該開口範囲が、特に請求項２に従って構成されていることを特徴とする請求項５に記載の空気吹き出し装置。
【請求項１１】
各開口範囲（１４）が、操作装置（１２）によって、請求項４に対応して変位可能であることを特徴とする請求項１０に記載の空気吹き出し装置。
【請求項１２】
前記操作要素（１２）が、当該空気吹き出し装置の幅にわたって延在していることを特徴とする請求項１〜１１のいずれか１項に記載の空気吹き出し装置。
【請求項１３】
前記操作要素（１２）が接触感応式の面（１３）であることを特徴とする請求項１２に記載の空気吹き出し装置。
【発明の詳細な説明】
【技術分野】
【０００１】
本発明は、車両内室用の空気吹き出し装置であって、ガイドフィン及びそれぞれ１つの軸周りに旋回可能な従動フィンであって、該従動フィンが、その開口運動において前記ガイドフィンに従動するとともに、拡散した空気流を生成させるために、前記ガイドフィンに対して異なる角度をなす、前記ガイドフィン及び前記従動フィンと、それぞれの間に位置する吹き出し隙間を有する任意の数のフィンによって規定された開口範囲であって、前記吹き出し隙間を通して空気が前記車両内室内へ至る、前記開口範囲と、前記フィンをその向きについて変更可能とする少なくとも１つの操作要素とを有する前記空気吹き出し装置に関するものである。
【背景技術】
【０００２】
車両内室用の空気吹き出し装置は、従来技術において十分に知られている。この空気吹き出し装置は、例えば陸上車両、航空機及び船舶並びに一連の別の応用分野において用いられる。
【０００３】
例えば特許文献１に記載されているように、車両用、特に乗用車用の空気吹き出し装置が従来技術から知られている。開口断面を包囲するハウジングは、垂直方向に並んで、及び水平方向に重なり合って配置されたフィンを備えている。各フィンは、軸周りに旋回可能に配置されている。垂直フィンも互いに運動結合されているように、水平フィンは、互いに運動結合されている。少なくとも１つの操作要素は、垂直フィンあるいは水平フィンを旋回させるために用いられるため、フィン間に配置された吹き出し隙間を通して吹き出す空気がその流れ方向について影響を与えられることが可能である。
【０００４】
通常、このような空気吹き出し装置を離れる空気は整向されているため、吹き出し範囲にいる人は、多少強い通風を感じることがある。
【０００５】
特許文献２は、通風の問題に整向された空気流によって対応したものである。これには、実施例において、垂直方向に整向されたフィンのみを備えた空気吹き出し装置が開示されている。これらフィンは、互いに運動結合されているとともに、空気吹き出し装置の基本機能に従い、操作要素による旋回時に互いに平行な旋回位置を占める。しかしながら、この開示内容においては、フィンが第２の操作装置によって旋回され得ることも開示されている。この第２の操作装置は、形状記憶合金として構成されているとともに、中央のフィンの側方に位置するフィンを動かすものである。これら側方のフィンは、中央のフィンからの距離が大きくなるにつれてこの中央のフィンとより大きな角度をなす。これにより、拡散された空気流が形成される。したがって、ここでは、吹き出し側の構造の中央のフィンは、隣り合うフィン、いわゆる従動フィンが異なる角度をなすガイドフィンを形成している。このようにして、ガイドフィンと従動フィンの間の隣り合う距離が大きくなるにつれて、なす角度が大きくなる。したがって、特許文献２に示された空気吹き出し装置は、整向された空気流に代えて拡散した空気流を生成することができるようになっており、その結果、通風（感の）発生が少なくとも低減され、理想的には完全に阻止される。
【０００６】
しかしながら、この有利な特性は、これと共に、整向された空気流も、また拡散された空気流も、流れ中心に対応する設定された源を有することを伴うものである。
【先行技術文献】
【特許文献】
【０００７】
【特許文献１】独国実用新案第２０２０１４１０３６７２号明細書
【特許文献２】独国実用新案第２０２０１６１０３３８８号明細書
【発明の概要】
【発明が解決しようとする課題】
【０００８】
本発明の課題は、整向された空気流及び／又は拡散された空気流において可変の流れ源を提供する空気吹き出し装置を得ることにある。
【課題を解決するための手段】
【０００９】
本発明の課題は、請求項１の特徴、特に、任意のフィンをガイドフィンとして選択可能であり、該ガイドフィンに従動フィンがその開口運動において従動することという特徴部分の特徴を有する空気吹き出し装置によって解決される。
【００１０】
同種の空気吹き出し装置によって形成される拡散された空気流においては、通常は中央に配置されたガイドフィンが流れ中央を形成する。整向された空気流を発生させる空気吹き出し装置においては、中央のフィンがガイドフィンとみなされ、この中央のフィンは、同様に流れ中心を示し、したがってガイドフィンとみなされる必要がある。ガイドフィンを自由に選択可能であるという本発明による概念により、整向された空気流であるか拡散された空気流であるかにかかわらず空気流の中心の位置を変更することができ、これは、換気快適性の向上に貢献するものである。
【００１１】
従属請求項２の特徴を有する実施形態が、特に有利なものとみなされる。この実施形態は、両側でガイドフィンに対して隣り合って配置された従動フィンの向きが逆であり、隣り合う従動フィンが互いに接触するまで、隣り合う箇所から離れるにつれてガイドフィンと各従動フィンの間でより大きな角度をなしていることを特徴とするものである。そして、ガイドフィンが空気吹き出し装置の長手延長部に対して横方向に向けられている場合には、特に従動フィンの逆の整向が設定される。
【００１２】
このとき、両側でガイドフィンと隣り合って配置された従動フィンが逆に整向されていることが従来技術から原則的には知られており、その結果、ガイドフィンの両側で、互いに接触した従動フィンによって、閉鎖され、吹き出しのない範囲が空気吹き出し装置において規定されている。
【００１３】
この点では、互いに接触する従動フィンは、空気吹き出し装置の、吹き出し隙間のない閉鎖範囲を規定している。
【００１４】
したがって、このような空気吹き出し装置は、垂直なフィン構造におけるある程度の幅にわたって、又は水平なフィン構造における高さにわたって延在し、ガイドフィンの選択によって特有の吹き出し範囲を規定することを可能とするものである一方、この吹き出し範囲の側方で整向された空気流及び／又は拡散された空気流の流出が阻止される。このようにして、同時に第２のユーザを害することなく、空気流は、例えば第１のユーザへ向けられることが可能である。
【００１５】
開口範囲が、操作要素によって空気流の幅にわたって変位可能であり、開口範囲が、同数のままのフィンにおいて、適当なフィン交替を受けるようになっている。
【００１６】
この実施例による空気吹き出し装置の利点は、開口範囲がいわば無段階に空気吹き出し装置の幅にわたって変位し得ることにある。これにより、空気流の中心を空間におけるほぼあらゆる任意の点へ向けることができ、その結果、かなりの快適作用が得られる。開口範囲の変位によって、開口範囲を規定するフィンの数が一定のままとするフィン交替のみが行われるため、空気流中心の位置のみが変化し、空気流は、開口範囲によって規定された形状について変化しない。
【００１７】
複数のフィンがガイドフィンとして選択可能であることが考慮されている。これにより、空気吹き出し装置の空間的な広がりにわたって、垂直に、及び／又は水平に、複数の開口範囲を規定することが達成され、その結果、２つ又はそれより多くの互いに独立した、その位置及び向きにおいて影響を与えることが可能な空気流が空気吹き出し装置から離れることが可能である。したがって、これら開口範囲のいずれも、操作要素によって変位されることが可能であり、開口範囲間には全く吹き出し隙間のない閉鎖範囲が存在することが可能である。
【００１８】
さらに、選択されたガイドフィンが隣り合って配置されているとともに、隣り合う２つのガイドフィンが吹き出し隙間によってのみ離間するようになっており、特に、隣り合って配置されたガイドフィンがガイドフィンの束を形成しており、該ガイドフィンの束のフィンが、互いに対して平行に整向されているようになっている。その結果、ガイドフィンの束が、開口範囲の内部で吹き出し範囲を規定しており、空気が、該吹き出し範囲から向きを定めて内室内へ流れることが通常となる。
【００１９】
この実施形態の本質的な利点は、開口範囲が複数のガイドフィンの隣り合った配置によってその大きさあるいは空気吹き出し装置の延長部にわたって変化可能であることにある。したがって、開口範囲を拡大することができ、このように規定されたガイドフィンの束の両側で、従動フィンは、隣り合う従動フィンが互いに接触し、閉鎖範囲を規定するまで、隣り合う箇所から離れるにつれてガイドフィンの束とより大きな角度をなしている。
【００２０】
このようにして、拡大された開口範囲においても、閉鎖範囲によって、空気吹き出し装置の部分を吹き出しなしに構成することができるため、人又は車両範囲が空気流によって影響を受けないままとなる。
【００２１】
この実施形態においても、開口範囲が、操作要素によって空気流の幅にわたって変位可能であり、開口範囲及び特にガイドフィンの束が、同数のままのフィンにおいて、適当なフィン交替を受けるようになっている。
【００２２】
したがって、拡大された開口範囲においても、この開口範囲がいわば無段階に空気吹き出し装置の空間的な延長部にわたって変位可能であることが保証される。
【００２３】
最後に、特に、操作要素が接触感応式の面である場合には、操作要素は、空気吹き出し装置の幅にわたって延在しているようになっている。
【００２４】
これにより、例えば乗用車のインストルメントパネルにおいて視覚的に非常に良好に適合する統一的な操作要素が提供される。加えて、空気吹き出し装置の統一的な操作が保証されている。
【００２５】
本発明の別の利点及び本発明のより良好な理解は、実施例の説明から明らかとなる。
【図面の簡単な説明】
【００２６】
【図１】第１の閉鎖位置における、本発明による空気吹き出し装置のフィン構造を示す正面図である。
【図２】図１によるフィン構造の平面図である。
【図３】図１による空気吹き出し装置の閉鎖位置を実現するための代替的なフィン構造を示す図である。
【図４】図３によるフィン構造の平面図である。
【図５】ガイドフィンの選択によって規定された開口範囲を有する、空気吹き出し装置の正面図である。
【図５ａ】旋回されたガイドフィンを有する、図５によるフィン構造を示す図である。
【図５ｂ】変位された開口範囲を有する、図５によるフィン構造を示す図である。
【図６】図５によるフィン構造の平面図である。
【図６ａ】図５ａによるフィン構造の平面図である。
【図６ｂ】図５ｂによるフィン構造の平面図である。
【図７】２つのガイドフィンによって形成されたガイドフィンの束を有する、図１による空気吹き出し装置のフィン構造を示す図である。
【図８】図７によるフィン構造の平面図である。
【図９】８つのガイドフィンによって構成されたガイドフィンの束を有する、図７によるフィン構造を示す図である。
【図９ａ】旋回されたガイドフィンの束を有する、図９によるフィン構造を示す図である。
【図９ｂ】側方で変位された開口範囲を有する、図９によるフィン構造を示す図である。
【図１０】図９によるフィン構造の平面図である。
【図１０ａ】図９ａによるフィン構造の平面図である。
【図１０ｂ】図９ｂによるフィン構造の平面図である。
【図１１】互いに離間した２つの開口範囲を形成する、複数のフィンによって互いに離間した２つのガイドフィンを有する、図１による空気吹き出し装置のフィン構造を示す図である。
【図１２】フィン構造の平面図である。
【発明を実施するための形態】
【００２７】
各図では、空気吹き出し装置のフィン（羽根）構造には全体的に符号１０が付されている。
【００２８】
フィン構造１０は複数の個別フィン（羽根）１１を含んでおり各個別フィン１１は、不図示の垂直軸周りに旋回可能である。図１には、個別フィン１１を有するフィン構造１０のほかに、操作要素１２が示されており、この操作要素は、フィン構造１０に対して平行に、このフィン構造１０のかなりの幅にわたって延在している。フィン構造１０に対して平行に測った実際の操作要素１２の長さは、図示とは異なっていてよい。フィン構造１０の一部にわたってのみ延在する複数の個別の操作要素１２を設けることも可能である。本発明の好ましい実施形態においては、操作要素１２が接触感応式の面１３として形成されている。
【００２９】
図１及び図２は共通のものとみなされることができる。図１では、フィン構造１０の個別フィン１１は、紙面に関して右方へ旋回されているとともに、図２において見て取れるように個別フィン１１が互いに接触するまで旋回された閉鎖位置を形成している。個別フィン１１のこの閉鎖位置では、吹き出し隙間のない互いの接触に至り、その結果、フィン１１間を通過して流れる空気流がブロックされている。
【００３０】
図３及び図４には、図１及び図２とは異なるように整向されたフィン構造１０が示されている。ここでも、閉鎖位置が実現されている。しかしながら、ここでは、フィン１１は、吹き出し隙間がないように互いに接触し当該個別フィン間の空気の通過がブロックされるまで、紙面に対して左方に旋回されている。
【００３１】
本発明による空気吹き出し装置の機能、特にフィン構造１０の個別フィンの位置と、空気流の通過を少なくとも部分的に可能とする開口部範囲１４の異なる構成とを、図５〜図１２に基づき図示する。異なるフィン位置の達成は、図１及び図２による閉鎖位置が個別フィン１１の変更された位置に対する初期点であるか又は図３及び図４による閉鎖位置が個別フィン１１の変更された位置に対する初期点であるかに依存しない。
【００３２】
図５ではここでも正面図が見て取れ、図６ではフィン構造１０の対応する平面図が見て取れる。適当な点における指での操作要素１２の適当な使用によって、ここでは接触感応式の面１３の接触によって、接触しつつある個別フィン１１は、ガイドフィン１５として選択される。このガイドフィン１５が配置おり、ガイドフィン１５の左右に位置するいわゆる従動フィン１６が、ガイドフィン１５の開放運動に従って同様に配置される。ガイドフィン１５及び従動フィン１６の位置変更は、ここでは不図示の旋回軸線周りの適当な旋回によって行われる。このとき、あらかじめ設定された数のフィン１５／１６の間には吹き出し隙間１７が形成され、この吹き出し隙間を通して、換気空気が、フィン構造１０の後方に設定された箇所からフィン構造１０の前方に設定された空間へ入ることが可能である。
【００３３】
図５及び図６から明らかであるように、個別フィン１１の、概観可能（Ｕｅｂｅｒｓｃｈａｕｂａｒ）な１つのグループだけが、隣接する従動フィン１６を有するガイドフィン１５の形態で開口範囲１４を形成している。閉鎖位置における個別フィン１１を有する部分は、両側で接続され、これら個別フィン１１は、吹き出し隙間がないように互いに接触してるとともに、開口範囲１４とは異なり、閉鎖された範囲において空気の通過を妨げる。これにより、換気に用いられる空気流が、フィン構造１０の手前に位置する空間の所定の範囲に制限される。
【００３４】
図５及び図６では、従動フィン１６は、ガイドフィン１５に対して異なる角度をなす。ガイドフィン１５から離れるにしたがってこのガイドフィンと各従動フィン１６の間のなす角度が大きくなる。このとき、各フィン１５／１６の間の角度は、それぞれ一定であってよい。各フィン１５／１６の間の角度は、それぞれ異なっていてもよい。本実施例では、更に、両側でガイドフィン１５に対して配置された従動フィン１６がそれぞれ逆の角度をなすようになっている。全体として、このフィン構造は、開口範囲においては、フィン構造１０により拡散した空気流が可能となり、これにより通風感が低減されるか、又は回避される。
【００３５】
特に、図１及び図２あるいは図３及び図４との比較における図６の平面図から、他の実施例と同様にこの実施例では、選択されたガイドフィン１５に隣接する個別フィン部分のうち１つが、フィン構造１０の完全な閉鎖位置を起点として、その右側あるいは左側の当接位置から反対位置へ旋回する必要があることが見て取れる。
【００３６】
図５ａ及び図６ａには、図５及び図６においては中央の位置に配置されたガイドフィン１５が旋回によって紙面に対して右方へ移動する場合にフィン構造１０に対してどのような効果を及ぼすかが示されている。ガイドフィン１５の右方への旋回により、右側の従動フィン１６が閉鎖位置に到達するまで旋回され、紙面に対して左方に位置する従動フィン１６は、同様に右方へ旋回することとなり、この例では、開口範囲１４の幅が一定に維持される。したがって、ガイドフィン１５の右側に配置された個別フィン１１からその閉鎖位置から開口された位置へ配置され、したがって、従動フィン１６の場所を占める。これにより、開口範囲１４はわずかにしか移動しない。図５ａ及び図６ａに図示されたガイドフィン１５の右方への旋回により、図５及び図６による旋回していないガイドフィン１５に比して左方へ開口範囲１４が移動することとなる。
【００３７】
ガイドフィン１５の旋回可能性の不図示の異なる構成においては、左側及び右側に位置する、ガイドフィン１５の選択によって従動フィン１６として規定される個別フィン１１の数が変化しないことが考えられる。そして、ガイドフィンの右方への旋回により、ガイドフィン１５の右側に配置された従動フィン１６が図６ａと同様に閉鎖位置を占めることとなる。しかし、ガイドフィン１５の左側ではあらかじめ従動フィン１６として規定された数のフィンのみが旋回移動し、閉鎖位置にある個別フィン１１のうちいずれも開口方向へ移動しないため、この場合、開口範囲１４はより狭くなる。その結果、開口範囲１４の上述の左方への移動運動が不足する。
【００３８】
図５ｂ及び図６ｂにおけるフィン構造１０の図示も、上述した図５及び図６に関して見て取れる。
【００３９】
図５ｂ及び図６ｂには、ここでもフィン構造１０の正面図及びその平面図が示されている。ここでは、操作要素１２あるいは接触感応式の面１３を介して、あるいは代替的な操作ジェスチャ（１つの指に代えて２つの指）を介して開口範囲１４がどのようにフィン構造１０の長手延長部に沿って変位するかが図示されている。開口範囲を規定するフィンの数は、同一のままである。しかし、変位運動中に持続的にフィン交替が行われる。変位方向とは逆に閉鎖する各フィン１６／１１は、変位方向において前方に位置する開口するフィン１１／１６によって置き換えられる。
【００４０】
図５ａ及び図６ａについての説明によるガイドフィン１５の旋回における開口範囲１４の（わずかな）変位に対する本質的な差異は、ガイドフィン１５も恒常的なフィン交替により影響され、したがって、開口範囲１４がフィン構造１０の１つの端部からフィン構造の他の端部へ変位することが可能である。これとは異なり、図５ａ及び図６ａにおける不変に規定されたガイドフィン１５により、ガイドフィン１５の右側又は左側における開口範囲１４のわずかな変位のみが可能である。
【００４１】
本発明によれば、接触感応式の面１３あるいは１つ又は複数の操作要素１２を介して複数の個別フィン１１を同時にガイドフィン１５として設定することも可能である。このことは、図７〜図１０では、吹き出し隙間１７によってのみ離間した２つのフィン１５／１６がそれぞれ１つの手のそれぞれ１つの指によって選択することで行われ、その結果、選択された２つのガイドフィン１５が互いに対して平行な位置を占める。図９及び図１０に示されているように、逆方向への指の動きにより、多数の個別フィン１１をガイドフィン１５として規定することができる。ここでも、全てのガイドフィン１５は、互いに対して平行な位置を占め、その結果、吹き出し隙間１７によってのみ離間した隣り合うガイドフィン１５がガイドフィンの束１８を形成している。上述の図示についての説明に対応して、各ガイドフィンの束１８の両側には、ここでも、開口運動、したがってガイドフィンの束１８のガイドフィン１５の各位置に従う従動フィン１６が配置されている。複数のガイドフィン１５及びその束の選択により、図７〜図１０においては開口範囲１４を広げることができ、その結果、フィン構造１０の手前に位置する所定の空間により多くの量の換気空気を供給することが可能である。さらに、ガイドフィンの束１８におけるガイドフィン１５の平行な位置により、上流の範囲において整向された空気流が生じる。
【００４２】
整向された空気流が所望されることなく、開口範囲１４のみが広げられるべき場合には、特に接触感応式の面を用いるときに、異なる操作ジェスチャにより、１つのガイドフィン１５で済むものの側方に配置された従動フィン１６の数が多くなるフィン構造１０が表され得る。これにより、開口範囲１４が拡大されるが、ガイドフィン１５とはそれぞれ異なる角度位置により、拡大された開口範囲１４を介して拡散した空気流が生じる。
【００４３】
図９ａ、図１０ａ、図９ｂ及び図１０ｂは、図５ａ、図６ａ、図５ｂ及び図６ｂと同様とみなされ得る。図９ａ及び図１０ａでは、接触感応式の面１３における操作要素１２あるいは適当な操作ジェスチャによって、ガイドフィンの束１８が右方へ旋回し、ここでは開口範囲１４の幅が、以前は閉鎖されていた個別フィン１１の開口により狭まらない。しかし、上述のように、以前は閉鎖位置にあった個別フィン１１の追加的な開口運動が行われないままであることで、旋回によって開口範囲１４が縮小される、ここでは不図示の可能性も存在する。
【００４４】
これに対して、図９ｂ及び図１０ｂには、フィン構造１０の長手延長部にわたる開口範囲の変位が示されており、変位運動に対応して連続的なフィン交替が行われ、特にガイドフィンの束１８が同数のフィンにおいてガイドフィン交替を受ける。
【００４５】
図１１及び図１２は、ここでもフィン構造１０の正面図及び平面図であり、１つより多くの規定されたガイドフィン１５を有する本発明の別の態様を示すものである。ここで、それぞれ両側で隣り合って従動フィン１６を備え、かつ、少なくともこれら従動フィン１６によって互いに離間している２つのガイドフィン１５が、操作要素１２あるいは接触感応式の面１３によって選択される。加えて、両ガイドフィン１５の間には、別の個別フィン１１も閉鎖位置において配置されることが可能である。このようにして、ここでは２つであるが一般的には複数の異なる位置において、フィン構造１０の長手延長部にわたって分配して配置された開口範囲１４を規定することが可能である。この各開口範囲１４は、いまや、図５〜図１０について図示された、単に記載された実施例に合わせて構成されることが可能である。したがって、開口範囲１４の幅を維持しつつ、開口範囲１４の幅を狭める場合と全く同様にガイドフィン１６を旋回させることが可能である。図１１及び図１２における各開口範囲１４を、互いに無関係にフィン構造１０の長手延長部にわたり、摺動によって変位させることが可能である。同様に、１つ又は２つの、あるいは複数の開口範囲１４にガイドフィンの束１８の形態の追加的なガイドフィン１５を割り当て、したがって各開口範囲１４を広げることも考えられる。同様に、追加的な従動フィン１６によって、拡散した空気流を維持しつつ開口範囲１４を広げることが可能である。
【００４６】
フィン構造１０の調整のほかに、例えば視覚的（光学的）な信号又は触覚的な信号によって、操作者の入力が追加的なフィードバックを作動させるように設定されている。このフィードバックは、入力の確認又は変更されたフィン構造１０の確認として、単一のフィードバックであり得る。しかし、フィードバックを調整過程の期間にわたって持続させ、したがって調整過程をそれ自体について信号化することも可能である。フィードバックにとって、まず、視覚的であるか触覚的であるかにかかわらず、操作要素の範囲における信号要素が考慮の対象となる。しかし、フィン構造１０の実際の状態を少なくとも視覚的に別々の表示部を介して図示するか、又はこのような表示部を介して呼び出し可能とすることが有意義である。特に、適当なシンボル又は写実的な図示によって操作をサポートするモニタ上にフィン構造１０の状態を表示することができるようになっている。
【００４７】
完全を期すためだけに、本発明は、フィン構造１０が垂直に向けられたフィン１１のみを含んでいる空気吹き出し装置に基づき説明されたことに留意すべきである。基本的な変更なしに、水平なフィン整向も実現することが可能である。水平フィンと垂直フィンの組合せを有する空気吹き出し装置を構成することも考えられる。
【００４８】
本発明の本質的な利点は、ガイドフィン１５としての適宜の各個別フィン１１の選択によって、開口範囲１４は、その吹き出し隙間１７をもって空気吹き出し装置の各位置に位置決め可能であることにあり、隣接する範囲は閉鎖されることが可能である。特に、これは、かなりの幅又は高さを有する空気吹き出し装置の場合に有利である。さらに、複数の開口範囲１４が、幅において更に可変である複数の開度フィン１５の選択によって規定され得ることが示された。開口範囲１４の開口幅が異なる場合においても、整向された空気流も、また拡散された空気流も実現可能であることが示された。この操作コンセプトは、特に、乗用車又は特別な車両コックピットのインストルメントパネルのかなりの幅又は全幅にわたって横方向に延在する空気吹き出し装置において有利である。例えば乗用車において、空気吹き出し装置をＡピラーからリヤまでのルーフエッジの範囲に配置するか、又は例えば車両ルーフにその幅にわたって形成することが考えられる。このことは、快適性を向上させることができるだけではない。このことは、構造上の観点においてもかなりの利点を有している。なぜなら、対応してより大きいものの可変に利用可能な空気吹き出し装置への供給管路がわずかですみ、一方、より小さな個別空気吹き出し装置は、通常、それぞれ固有の空気供給部を備える必要があるためである。
【符号の説明】
【００４９】
１０            フィン構造
１１            個別フィン
１２            操作要素
１３            接触感応式の面
１４            開口範囲
１５            ガイドフィン
１６            従動フィン
１７            吹き出し隙間
１８            ガイドフィンの束
【図１】
2019043545.tif 000003
【図２】
2019043545.tif 000004
【図３】
2019043545.tif 000005
【図４】
2019043545.tif 000006
【図５】
2019043545.tif 000007
【図５ａ】
2019043545.tif 000008
【図５ｂ】
2019043545.tif 000009
【図６】
2019043545.tif 000010
【図６ａ】
2019043545.tif 000011
【図６ｂ】
2019043545.tif 000012
【図７】
2019043545.tif 000013
【図８】
2019043545.tif 000014
【図９】
2019043545.tif 000015
【図９ａ】
2019043545.tif 000016
【図９ｂ】
2019043545.tif 000017
【図１０】
2019043545.tif 000018
【図１０ａ】
2019043545.tif 000019
【図１０ｂ】
2019043545.tif 000020
【図１１】
2019043545.tif 000021
【図１２】
2019043545.tif 000022
【外国語明細書】
2019043545000001.pdf